(57)【特許請求の範囲】
【請求項１】
放熱性の優れた支持体と、複数のＬＥＤチップを実装し基板側を前記支持体に取り付けた高出力・高光束ＬＥＤモジュールと、背面に反射ドットを備え、一端面を前記高出力・高光束ＬＥＤモジュールに対向させた導光部材とを備え、  導光部材の一端面に対し反対側の導光部材の他端面に反射層を有しており、  支持体が、横板状部、及び、横板状部の一端部に設けられた縦板状部を備えており、横板状部の一端部に対し反対側の横板状部の他端部には縦板状部が備えられておらず、支持体はＬ字形状を有しており、  高出力・高光束ＬＥＤモジュールの基板側は支持体の縦板状部に取り付けられていることを特徴とする導光式照明器具。
【請求項２】
高出力・高光束ＬＥＤモジュールが導光部材の両端面に対峙して配置されている請求項１に記載の導光式照明器具。
【請求項３】
支持体が反射手段を兼ねている請求項１または２に記載の導光式照明器具。
【請求項４】
導光部材が出光面に拡散層及び/又は偏光層を積層している請求項１ないし３のいずれかに記載の導光式照明器具。
【請求項５】
導光部材が出光面に乳白色プラスチック層を有している請求項１ないし４のいずれに記載の導光式照明器具。
【請求項６】
導光部材の少なくとも出光面に透明な表面保護材を設けている請求項１ないし５のいずれかに記載の導光式照明器具。
【請求項７】
反射ドットの面積を変化させている請求項１ないし６のいずれかに記載の導光式照明器具。
【請求項８】
導光部材の入光面が高出力・高光束ＬＥＤモジュールとの対向側を頂点として鋸歯状に形成されている請求項１ないし７のいずれかに記載の導光式照明器具。
【請求項９】
導光部材の入光面に光透過性に優れた耐熱層を有している請求項１ないし８のいずれかに記載の導光式照明器具。
【請求項１０】
導光部材が曲がり部を有している請求項１ないし９のいずれかに記載の導光式照明器具。
【請求項１１】
中央に高出力・高光束ＬＥＤモジュールを含む支持体が位置し、導光部材がエッジを高出力・高光束ＬＥＤモジュールに対峙させつつ回転する形式を含む請求項１〜９のいずれかに記載の導光式照明器具。
【発明の詳細な説明】
【技術分野】
【０００１】
本発明は照明器具、とりわけ光源としてＬＥＤを使用した導光式の一般照明器具に関する。
【背景技術】
【０００２】
一般照明として、白熱灯、蛍光灯などが汎用されているが、光源の発熱が大きいので、器具が熱くなり、安全上の問題があった。その光源として近年特にＬＥＤが使用される傾向にあるが、明るさを増そうとして場合、ＬＥＤの発熱が大きくなるので、その放熱対策のために器具が大きくなる問題があった。
【０００３】
この対策としては、光源として白色ＬＥＤを使用し、従来液晶バックライトなどにおいて用いられていた導光板と組合せることが考えられるが、単体のＬＥＤは十分な光出力が得られないので、高出力が要望される照明の用途には適さず、せいぜい案内板など文字、図形などを印刷的手法で施した看板類のバックライトにしか使用できなかった。
明るさを高めるには導光板の端面に対峙してＬＥＤを多数個並べて配置することしかないが、導光板の厚さ、幅などが不当に大きくなって大型化するとともに高価格になるので、実現が困難である。また、電流を増して光束を高めることも、発生する熱量が過大になり種々の問題を生起することになる。
したがって、従来では、ＬＥＤを光源として導光板を組み合わせた一般照明装置は実用化されていなかった。
【発明の開示】
【発明が解決しようとする課題】
【０００４】
本発明は前記のような問題点を解消するためになされたもので、その目的とするところは、省エネルギーで、長寿命で，ランニングコストが安く、環境に対する負荷が小さく、しかも均一で高光出力を実現できながら発熱による問題が生じず、薄手で構造も簡単で、多種多様の照明方式への用途や応用が可能な照明器具を提供することにある。
【課題を解決するための手段】
【０００５】
上記目的を達成するため本発明は、放熱性の優れた支持体と、複数のＬＥＤチップを実装し基板側を前記支持体に取り付けた高出力・高光束ＬＥＤモジュールと、背面に反射ドットを備え、一端面を前記高出力・高光束ＬＥＤモジュールに対向させた導光部材とを備え、  導光部材の一端面に対し反対側の導光部材の他端面に反射層を有しており、  支持体が、横板状部、及び、横板状部の一端部に設けられた縦板状部を備えており、横板状部の一端部に対し反対側の横板状部の他端部には縦板状部が備えられておらず、支持体はＬ字形状を有しており、  高出力・高光束ＬＥＤモジュールの基板側は支持体の縦板状部に取り付けられていることを特徴としている。
【発明の効果】
【０００６】
本発明によれば、通常の高出力ＬＥＤ照明ではパッケージが大きく、発熱量が大きく、その放熱対策のために器具が大きくなるが、複数のＬＥＤチップを基板に直接フィリップチップ実装した高出力・高光束ＬＥＤモジュールを光源として使用するため、薄型で小型なもので大きな光出力が得られ、これの光束を反射ドットを有する導光部材で効率よく反射させるので、均一で明るく眩しさのない照明効果が達成される。
【０００７】
高出力・高光束ＬＥＤモジュールの発熱は、たとえば導光部材の背面側を前記支持体に向けるように配し、支持体を高出力・高光束ＬＥＤモジュールの支持部分から反射ドット側すなわち導光部材背面に至る大きな面積にすることで効果的に放熱されるので高温化が適切に防止され、かつ発光部である導光部材の発熱は全くなく、直接手に触れることができるので安全である。しかも、支持体がケーシングやフレームとして機能し、その形状と色合いなどによりデザイン上シャープなものとなるので、商品価値が高くなる。
【０００８】
また、導光部材はアクリルなどの合成樹脂を素材とすることができるため、機械的、熱的衝撃に対しても割れることがなく、従来の器具のようなガラスの破片や水銀飛散の問題がなく、シーリングライトやペンダントなどに使用しても安全である。
光源の高出力・高光束ＬＥＤモジュールは、寿命が白熱灯の２５倍以上、蛍光灯の６倍以上の長寿命が維持されるので、交換の必要がほぼなく、また消費電力が小さくたとえば間接照明の用途では蛍光灯の約４０％で足りるので、省エネルギー効果が高い。
【発明を実施するための最良の形態】
【０００９】
高出力・高光束ＬＥＤモジュールが導光部材の両端面に対峙して配置されているものを含んでいる(請求項２) 。
これによれば、簡単な構造でまた大型化を招かずに明るさを増強することができる。
【００１０】
支持体が反射手段を兼ねている(請求項３)。
これによれば、支持体が導光部材の補強材としての機能に加えて、反射層を兼ねるので、部品数を減じて構造の簡易化とコスト低減を図ることができ、製作も支持体に表面加工を施すことで容易に得ることができる。
【００１１】
導光部材が出光面に拡散層及び/又は偏光層を積層している(請求項４)
これによれば、明るさを増すことができる。
【００１２】
導光部材が出光面に乳白色プラスチック層を有している(請求項５)。
乳白色プラスチック層は板状であることが好ましく、これによれば、拡散シートに比べて表面の凹凸がないので汚れにくく、またフィルム状でないため強度が増し、また明るさも向上する効果が得られる。
【００１３】
導光部材の少なくとも出光面に透明な表面保護材を設けている(請求項6)。表面保護材は、出光面に加え、反射ドットが施されている導光部材背面にも設けられることが好ましい。
これによれば、反射層や拡散層を使用せず、例えば透明プラスチックまたは透明ガラスを設けるので、ＬＥＤモジュールが消灯している時は導光部材背面側が透けて見えるが、点灯しているときは反射ドットが光を反射して導光部材背面側は見えずブラインド効果をもたらす。前記透明プラスチックとしては、ポリカーボネートを使用することで、自己消火性をもたらし、建材としての適用も可能になる。
【００１４】
導光部材の側面に反射層を有している (請求項７)。
これによれば、左右側面からの反射光が追加されるので、表面から出力する光が増えて、遠くまで光を到達することができる。
より好適には、導光部材の左右側面を鏡面仕上げし、その鏡面仕上げした面にフィルムやシートなど任意の形態の反射層を設けるもので、これで一層効率を高めることができ、導光部材表面、つまり光の出射面から出力する光がより多く増えて、より一層遠くまで光を到達することができる。
【００１５】
導光部材に設けた反射ドットの面積を変化させている(請求項８)。
これによれば、明るさをコントロールでき、必要な明るさ分布を得ることができる。これは導光部材に反射ドットを印刷して設ける場合にそのドット面積を任意の大きさに変化させて印刷することで実現できる。
【００１６】
導光部材の入光面が高出力・高光束ＬＥＤモジュールとの対向側を頂点として鋸歯状に形成されている(請求項9)。
これによれば、方向性の強い高出力ＬＥＤの光を鋸歯状に切り込んだ面に垂直に入射するため、方向を拡散でき、複数のＬＥＤの間隔を広くし、少ない数のＬＥＤで均一な面発光が可能になる。
【００１７】
導光部材の入光面に光透過性に優れた耐熱層を有している(請求項１０)。
これによれば、高出力ＬＥＤ表面の高温度に影響されることなく、導光部材材料の耐熱温度以下に保つことが可能となり、ＬＥＤの出力限界まで使用できるので、明るい導光式器具を実現できる。
【００１８】
導光部材が曲がり部を有している(請求項１１)。
これによれば、ユニークでデザイン性に優れた導光式器具を実現することができる。実施に際しては、導光部材の背面に印刷的手法により反射ドットを設けたのち、その導光部材を曲げ加工すればよく、曲げによる光の劣化は無くドットの反射効果は変わらない。
【００１９】
中央に高出力・高光束ＬＥＤモジュールを含む支持体が位置し、導光部材がエッジを高出力・高光束ＬＥＤモジュールに対峙させつつ回転する形式を含む(請求項12)。
これによれば、導光部材が光りながら回転運動するので、光源の交換が不要な斬新なシーリングライトを簡易に得ることができる。    
【実施例１】
【００２０】
以下添付図面を参照して本発明の実施例を説明する。
図１は本発明による導光式照明器具の基本的な概要を示しており、１はアルミニウムで代表される熱伝導率の高い支持体であり、少なくとも後述する高出力・高光束ＬＥＤモジュールの支持と放熱ための支持部１１を有し、好適には、後述する導光部材に対する支持部１０を有している。
この例では、支持部１０は横板状をなし、支持部１１は縦板状をなし、支持部１０の端部に一体に形成されるかまたは別体に作られて、ねじなどで結合固定されている。
【００２１】
２は複数のＬＥＤチップを実装し基板側を前記支持体１の支持部１１に取り付けた板状の高出力・高光束ＬＥＤモジュールである。
この高出力・高光束ＬＥＤモジュール２は、たとえば松下電器産業株式会社が製造した白色ＬＥＤ光源「ＬＵＧＡ（登録商標）」が好適であり、図２に示されているように、熱伝導率の高いセラミック質のプリント基板２００上に、ウェーハー上にＰ−Ｎ半導体層を積層して電極を形成した複数個の青色ＬＥＤチップなどのＬＥＤチップ２０１を、直接、フィリップチップ実装、すなわち、ＬＳＩや半導体の入出力端子に微小径の金属ボールを設け、プリント基板側の接続端子に一括して結合する方式にて実装し、複数個のＬＥＤチップ２０１を覆うように蛍光体２０２を層着して構成されている。
【００２２】
前記モジュールの光色は蛍光体２０２により適宜創成されるが、たとえば、昼白や温白があげられる。前者は、青色ＬＥＤチップと黄色蛍光体の組合せ、後者は青色ＬＥＤチップと赤色蛍光体、緑色蛍光体の組合せで得られる。仕様例としては、前者が、全光束４００ｌｍ,後者が２８０ｌｍで、消費電力８．５Ｗ，形状は長さ３７ｍｍ程度、幅１２ｍｍ程度、厚み２．３ｍｍ程度である。
【００２３】
図２(ｃ)は適用可能な別の高出力・高光束ＬＥＤモジュール２として、カード型のものを示しており、配線パターンを一体成形した放熱基板２００上に、多数たとえば３６個や６４個のＬＥＤチップと蛍光体を点状に配した発光部２０３を層状に設けたもので、放熱基板の一側にはパターン状の端子部２０４を設けており、発光部２０３の表面にはレンズが、放熱基板２００の背面にはアルミニウムなど熱伝導性のよい金属からなる放熱面部が必要に応じて層状に設けられる。このカード型ＬＥＤモジュール２も厚さが２ｍｍ程度である。
【００２４】
前記高出力・高光束ＬＥＤモジュール２は、背面側の基板２００が支持部１１に密接して固定され、これにより高出力・高光束ＬＥＤモジュール２からの放熱は、体積が大きい支持体1に伝達され、効率よく拡散させることができる。
【００２５】
３は前記高出力・高光束ＬＥＤモジュール２からの光を効率よく放散するための導光部材であり、透明度の高いプラスチックたとえばアクリルから作られ、所望の長さＬと幅Ｗと厚さＴを有している。形状としては、板状、ブロック状、柱状、短冊状など任意である。
この例では板からなり、背面３０２に反射ドット３１を施してなる。そして、導光部材３は、その厚さ方向の中心が前記高出力・高光束ＬＥＤモジュール２のＬＥＤ実装中心と位置するように、長手方向の端面(エッジ)３００を高出力・高光束ＬＥＤモジュール２に対峙させて入光面とし、前記反射ドット３１を施した背面３０２は反射シート３Ａを介して前記支持体１の支持部１０上に配置固定されている。
そして、導光部材３の出光面すなわちこの例では反反射ドット面である正面３０３には拡散層３Ｂが張られ、導光部材３の前記入光面としての端面と反対側の端面３００には反射層３Ａが張られている。
【００２６】
前記反射ドット３１はスクリーン印刷等の印刷的手法で施されていてもよいし、導光部材たるプラスチック板の成形時に型に加工したドットにより一体成形していてもよい。あるいは、プラスチック板をレーザー加工したグリッド(格子)で構成されていてもよく、これも本発明に含まれる。
前記反射ドット３１は、使用される導光部材３の厚さ、幅、長さに対応したドットパターン(ドット径、間隔など)が設定される。
【００２７】
反射層３Ａは、反射ドット３１に当たった光の一部で背面に出てしまう成分を反射して出光面３０３に向わせるためのもので、高い反射率を有する素材たとえばＰＥＴやポリカーボネ―トなどの光学的に透明度の高い樹脂を微細発泡させて作ったもの、たとえば東レ株式会社の製造にかかる商品名Ｅ−６０などが用いられる。層はシート、フィルムなどが用いられる。
拡散層３Ｂは、出光面３０３から見たときに反射ドットを見えなくするとともに、光を出光面３０３に集めて輝度を高めるために用いられ、たとえばＰＥＴやポリカーボネ―トなどが素材としてあげられる。拡散層３Ｂもシート、フィルムなどが用いられる。
【００２８】
さらに、導光部材３の他の面すなわち側面３０１，３０１にもシートなどからなる反射層３Ａ、３Ａを設けている。したがって、入光面と出光面以外の各面は反射性の高い層で覆われている。
好適には、前記反入光側の端面３００、側面３０１，３０１は鏡面に仕上げてあり、この鏡面に反射層３Ａを配置してある。これにより左右面からの反射光Ｈ（破線で表示）が増加し反射ドット３１に当たる光が増加することになり、図１（ａ）（ｃ）に示すように表面から出る光はＧに加えＨが増加するので、強い光が発生し、遠くまで光を運ぶことができる。
【００２９】
この実施例においては、高出力・高光束ＬＥＤモジュール２の集合端子部に導線を接続し、通電すれば、高出力・高光束ＬＥＤモジュール２が複数個のＬＥＤチップを高密度にフリップチップ実装して構成されているので、単位面積あたりの光出力が高く、その高い光出力が導光部材３の端面３００に導入され、導光部材の中を全反射しながら進みながら反射ドット３１に当たって向きを変え、全反射角より小さくなった成分光が導光部材表面に出て、拡散シート３Ｂにより拡散され、導光部材３の表面側から均一に放射される。したがって、非常に明るい照明光が得られる。
なお、高出力・高光束ＬＥＤモジュール２は、この例では単一であるが、図６で示すように複数が間隔をおいて配されていてもよい。これは、第２実施例以降でも同じである。
【実施例２】
【００３０】
図３は本発明の第２実施例を示しており、支持体１の支持部１０の両端に支持部１１，１１が対設され、それら縦の支持部１１，１１間の支持部１０上に導光部材３が配置され、その両端の端面３００，３００に対峙して両支持部１１，１１にそれぞれ高出力・高光束ＬＥＤモジュール２、２が取り付けられている。
他の構成は、第１実施例と同様であるから、説明は援用するものとし、同じ部分に同じ符合を付し、説明は省略する。
この実施例によれば、１枚の導光部材３の両端面にそれぞれ高出力・高光束ＬＥＤモジュール２、２の高い光出力が導入され、反射されて出光面３０３から拡散されるので、明るく、大きな広がりの照明を行なうことができる。
なお、第２実施例においては、後述する第３実施例の反射層を兼ねさせた支持部１０を採用している状態が示されているが、もちろん、第１実施例と同じように反射層を用いていてもよい。
【実施例３】
【００３１】
図４は本発明の第３実施例を示しており、この実施例は、反射ドット３１と向かい合う支持体１の支持部１０として内面の光反射率を高める加工を施したものを用い、それにより支持部１０をヒートシンク手段および導光部材３の補強手段として機能させるだけでなく、さらに反射層も兼ねさせたものである。内面の光反射率を高める加工は、鏡面加工、白アルマイト処理が挙げられる。
この第３実施例は、構造を簡略化できるので、薄く、コンパクトな照明具を低コストで製作できる利点がある。なお、この反射ドット３１と向かい合う支持体１の支持部１０として内面の光反射率を高める加工を施したものを用いた第３実施例は、前記第1実施例にも適用されることがある。
【実施例４】
【００３２】
図５は本発明の第４実施例を示しており、この実施例は導光部材３の出光面３０３図示するものでは正面表側の他の態様を例示しており、（ａ）は要求される明るさや光の広がりに応じえるように、拡散層３Ｂの上にシート状、膜状などの偏光層３Ｃを積層している。
(ｂ)は拡散層３Ｂの代わりに乳白アクリル板で代表される乳白色プラスチック板３Ｄを配置したもので、これにより、導光部材表面の強度が向上するとともに表面に凹凸がないため埃などが付着しにくく、汚れ対策が良好になる。
【００３３】
図５（ｃ）は導光部材３１の出光面たる正面３０３更に好適には反対側の背面３０２に、表面保護材３Ｅを装着している。表面保護材３Ｅとしては光透過性に優れさらに好ましくは耐熱材料が用いられる。その例としてはポリカーボネートがある。ポリカーボネートは自己消火性を有するため、難燃性を要求される場合には有効である。しかし、他の透明プラスチックやガラスも使用可能である。
【００３４】
高出力ＬＥＤモジュール２が消灯しているときは反射ドット間の隙間から導光部材背面が透けて見えるが、点灯している時は反射ドット３１が高出力ＬＥＤモジュール２の強い光を反射するため、反射ドット３１の輝度が高くなり、導光部材背面側は透けて見えなくなる。
本実施例は後述するブラインドとしての利用に有効である。従来の可動式ブラインドに比べて、瞬時に遮蔽することができると共に可動部の磨耗や汚れが無くメンテナンスが不要となる。このブラインドとしての利用は前述したポリカーボネートやガラスで覆うことで難燃性を要求される建材としての適用が可能になる。
【実施例５】
【００３５】
図６は本発明の第５実施例を示しており、導光部材３の入光面３００が意図的に粗面とされ、すなわち高出力・高光束ＬＥＤモジュール２との対向面を三角山3001の頂点とする鋸歯状面から構成されている。
これによれば、方向性の強い高出力ＬＥＤ２の光が矢印のように鋸歯状に切込んだ三角山の斜面に垂直に入射するため、その光の方向は拡散され、ＬＥＤ間の暗部Ｄの入光面からの長さＤＬが小さくなり、複数のＬＥＤ間の間隔ｄを広くすることができ、少ないＬＥＤの数で均一な面発光を実現できる。
【００３６】
入光面がフラットな状態では、ＬＥＤ間の間隔を広げるとその強い方向性光のためＬＥＤ間で暗部が生じ、ＬＥＤ間の暗部Ｄの入光面からの長さＤＬが大きくなるため、ＬＥＤ間隔ｄを小さくし、即ちＬＥＤ数を多く使う必要があるが、例えば、本実施例を採用し、三角山の大きさをたとえばａ＝ｂ＝２．５ｍｍとすればＬＥＤ数を５０％に減少できることが確認された。
なお、この第５実施例の入光面鋸歯状形成は高出力・高光束ＬＥＤモジュール２が複数の場合だけでなく、単数である場合にも適用されることは言うまでもない。
【実施例６】
【００３７】
図７は本発明の第６実施例を示しており、（ａ）のように導光部材３の入光面３００に光透過性に優れた耐熱層３Ｅを設けている。耐熱層３Ｅの例としてはポリカーボネート板が挙げられる。(ｂ)は第１実施例と組み合わせた状態を示すもので、もちろん、第２実施例以降の各実施例と組み合わせ得る。
第６実施例によれば、高出力ＬＥＤ表面の高温度に影響されることなく、導光部材３を材料の耐熱温度以下に保つことが可能となり、ＬＥＤの出力限界まで使用でき、明るい導光式器具を実現できる。光の透過率の点からポリカーボネートの厚さは１．５ｍｍ以下が適している。また、ポリカーボネートの代りに同様の耐熱に優れる樹脂やガラス（特に光透過率の点から石英ガラス）を使用してもよい。
【００３８】
図７(ｃ)は第６実施例の応用例であり、反射ドット３１を形成した背面３０２にシート状の反射層３Ａを設けたアクリル板により導光部材３を構成し、この導光部材３の外殻すなわち、側面と端面及び正面を、シート状又は板状の乳半アクリル層３Ｄからなる箱で形成し、高出力ＬＥＤ側の入光面300にポリカーボネート３Ｅを配置している。
本方式によれば、周囲温度２５℃の時、ＬＥＤ表面９５℃、ポリカーボネート（厚さ１．５ｍｍ）表面８０℃、導光板（アクリル）入光面６３℃となり、アクリルの長期使用耐熱温度70℃を満足することができ、ＬＥＤ出力を３０％向上できることが確認され、したがって、高照度の導光式照明器具を提供できることがわかった。
【実施例７】
【００３９】
図８は本発明の第7実施例を示しており、導光部材３に配される反射ドット３１の面積を、大面積３１ＭＸから小面積３１ＭＩ間で種々に変化させて印刷している。
これによれば、導光部材３の出光面から発する光をコントロールすることができ、必要な照度分布を得る事ができる。また、反射ドット３１の面積を変化させることにより、ブラインド時の遮蔽レベルをコントロールすることができ、半透明などの遮蔽レベルが自由に提供可能となる。なお、図中では、反射ドットの大きさを代表的に１列でのみ模式的に示しているが、実際には同一形状・大きさの反射ドットが多数配列されているものである。
【００４０】
なお、反射ドット３１に関しては、任意の形状、例えばロゴなどで構成すればその利用価値は格段に向上する。更に、反射ドット３１を着色することでその効果は大きくなる。
第7実施例の反射ドット３１の面積の変化は、第1実施例から第6実施例及び第8実施例に採用されることは言うまでもない。なお、図8では高出力・高光束ＬＥＤモジュール２が両端面に配されているが、これ態様に限られないことはいうまでもない。
【実施例８】
【００４１】
図9は本発明の第8の実施例を示しており、導光部材３に反射ドット３１を印刷した後に、任意の形状に曲げ加工したものである。この例では、Ｕのように曲線状としているが、波状、山形状、門型状など任意であり、また直線部と組み合わさった形状もありえる。
これによれば、個々の反射ドット３１は十分小さいため曲げ加工してもその反射効果は変わることは無く、曲げによる光の劣化、減衰は無いことから、種々のデザイン化が可能となるため、建築躯体への導光部材３の組込みが可能になり、建築デザインへの波及効果は甚大である。
【００４２】
本発明による照明器具は種々ものに適用あるいは応用することができる。以下、その例を説明する。
図１０ないし図１２は、本発明を適用したスタンド型照明具を示しており、それらにおいて、Ａは前記実施例１〜８のいずれかの本発明照明器具を指している。
図１０においては、座部５ａに支柱５ｂを設け、支柱５ｂに本発明照明器具Ａを搭載したもので、この例では、高出力・高光束ＬＥＤモジュール２は単一である。
【００４３】
図１１においては、座部５ａに支柱５ｂを設け、支柱５ｂに本発明照明器具Ａを搭載したもので、高出力・高光束ＬＥＤモジュール２は、中央の部材１１の両面に取り付けられ、左右の導光部材３，３の端面（エッジ）３００，３００に対峙している。図１０と図１１は照明部本体がフラットで帯板状に延在するユニークで斬新なデザインとなり、照明部本体が熱くならず、均一な明かりのものとなる。
【００４４】
図１２においては、支柱５ｂの途中に支持体１を位置させ、これに高出力・高光束ＬＥＤモジュール２を上方に向けて配置し、反射板３Ａを境として２枚の縦導光部材３，３を支柱をかねて立設し、縦導光部材３，３の上端に、前記反射板３Ａの延長線上の三角状断面の反射板３Ｇを介して２枚の横導光部材３，３を、反射ドット３１を上面側にして配している。この構造によれば、斬新なデザインである上に、器具の支柱部分の途中から上全体が発光するので、明るいものとなる。3Ｂ，3Ｃ，3Ｄ，3Ｅは拡散層あるいはその類似層を意味し、第4実施例から選択される。
【００４５】
図１３と図１４は、前記実施例１〜8のいずれかの本発明照明器具Ａを適用したペンダントを示している。
図１３において、６は吊具であり、これの下端に本発明照明器具Ａの支持体１が固定されている。この例では、本発明照明器具Ａは、２枚の高出力・高光束ＬＥＤモジュール２、２を使用したタイプが用いられており、薄くてしかも明るく、眩しさのない特徴をもった斬新なデザインとなっている。
図１4においては、支持体１の下面に高出力・高光束ＬＥＤモジュール２を取り付け、前記高出力・高光束ＬＥＤモジュール２に対峙する関係で、幅方向中央の反射層３Ａを境として左右に縦導光部材３，３を位置させ、各導光部材３，３の出光面にそれぞれ異なる色のプラスチックシートまたはプラスチック板３Ｆ，３Ｆを張っている。
これによれば、斬新なデザインで、左右で異なる色の明かりあるいは部分的に異なる色の明かりとなる。
【００４６】
図１５は実施例１〜8のいずれかの本発明照明器具Ａを適用したシーリングライトを示しており、中央に高出力・高光束ＬＥＤモジュールを含む支持体が位置し、導光部材がエッジを高出力・高光束ＬＥＤモジュールに対峙させつつ回転する形式となっている。
詳しく説明すると、７は天井などから下るシャフトであり、シャフト７の下端部に、本発明照明器具Ａの一部を構成するための非回転の支持体１を含むＬＥＤ照明部が設けられている。
ＬＥＤ照明部は、上下の支持部１０，１０と中央の支持部１１を備えた支持体１を備え、支持部１１に複数枚またはリング状の高出力・高光束ＬＥＤモジュール２、２が水平方向に放光するように取り付けられている。
【００４７】
前記シャフト７には、前記ＬＥＤ照明部を囲繞するように回転リング体８が装備されており、この回転リング体８に複数枚 (この例では４枚)の翼状をなした本発明照明器具(主要部)Ａが放射状に取り付けられている。
各照明器具Ａは、反射ドット３１を上側に位置させ、その面を反射シート3Ａまたは支持体相当部品で覆い、下面に拡散層３Ｂあるいはその類似層３Ｃ，３Ｄ、３Ｅを張った導光部材３を備えており、それぞれの照明器具Ａの導光部材３のエッジ３００が前記ＬＥＤ照明部の高出力・高光束ＬＥＤモジュール２に対峙している。
【００４８】
前記回転リング体８は、シャフト７に対して軸受け８０により相対回転可能に支持され、駆動機構８Ａにより所望の速度で回転されるようになっている。駆動機構８Ａに限定はないが、たとえば、この実施例ではシャフト７に固定したホルダー８１に固定したモータ８２により駆動される歯車８３と、これと噛み合うように前記回転リング体８の上端部に固定された変速歯車８４とから構成されている。
【００４９】
このようなシーリングライトにおいては、高出力・高光束ＬＥＤモジュール２からなる光源が中心部にあって全方向に配光し、この状態で外側の回転リング体８が回転することにより、放射状に挿着されている複数の導光部材３が端面３００から受光し、光ながら回転する。したがって、明かりと風を両立させた省エネルギーでしかも斬新な形状のシーリングライトとすることができ、照明部光源が長寿命で交換が不要であるため、メンテナンスも容易である。
【００５０】
図１６は実施例１〜8のいずれかの本発明照明器具Ａを適用した壁埋め込み照明装置を示しており、この例では、支持部１０を有する支持体1に反射ドット３１を有する導光部材３を支持させ、支持部１１に高出力・高光束ＬＥＤモジュール２を取り付けて、これに導光部材３の端面３００を対峙させており、こうした本発明照明器具Ａを、天井回り縁、なげし、巾木などの壁９に設けた凹所９０に嵌め込んでいる。
薄く、明るさが均一で、眩しくなく、省エネルギー、長寿命である利点がある。また、本発明は、発光部が熱をもたないので、ＩＨ調理器組み込み型などのシステムキッチンの調理台に組み込み、埋め込み照明とすることもできる。
【００５１】
図１７は列車、自動車などの車両照明に適用した例を示しており、図３に示す両端に高出力・高光束ＬＥＤモジュール２、２を配置する態様をユニット化したものである。
薄く、割れない構造で、均一な明かりの斬新なデザインとすることができる。
【００５２】
図１8は本発明を非常灯機能つき照明装置に適用した例を示しており、支持部１０、１１を有して箱形状に構成されたヒートシンクを兼ねる支持体１の前記支持部１１に、第１の高出力・高光束ＬＥＤモジュール２Ａと、第１の高出力・高光束ＬＥＤモジュール２よりも小出力の第２の高出力・高光束ＬＥＤモジュール２Ｂを隣接して配置している。
前記支持部１１の反対面と外殻部材１１´の間のスペースには、充放電制御回路と点灯制御回路を具備した制御部１２とバッテリー１３とが配置されている。
【００５３】
そして、反射ドット３１を有する第１の導光部材３−１を、反射ドット３１が支持部１０に向くようにかつ長手方向の端面３００が第１の高出力・高光束ＬＥＤモジュール２Ａに対峙するように組み込むとともに、横方向からの光だけを反射し矢印が浮かび上がる特殊な透明なドットパターンを形成した第２の導光部材３-２を、長手方向端面３００が第２の高出力・高光束ＬＥＤモジュール２Ｂに対峙するように前記第１の導光部材３Ａと平行状に組み込んでいる。
【００５４】
本発明照明装置においては、常時は第１の高出力・高光束ＬＥＤモジュール２ＡがＡＣ１００Ｖを主電源として点灯し、前記第１の導光部材３-１を通して反射照明される。このときには、第２の高出力・高光束ＬＥＤモジュール２Ｂは非作動に置かれるため、（ａ）のように矢印は浮かび上がらず、視認されない。第２の導光部材３Ｂは透明なドットパターンを形成しているため第１の導光部材３-１の光はそのまま第２の導光部材３-２を通過し、したがって明るい照明を行なえる。
【００５５】
停電などの非常時は、第１の高出力・高光束ＬＥＤモジュール２Ａが消灯するが、制御部１２の点灯制御回路が停電を検出し、それまで充放電制御回路によりフル充電されていたバッテリー１３からの電源供給に切り替わり、第２の高出力・高光束ＬＥＤモジュール２Ｂが点灯し、その光が第２の導光部材３-２の端面から入射することによりドットパターンの反射で、（ｂ）のように矢印が浮かび上がり表示される。
【００５６】
本発明の非常照明装置は非常灯を平常時の照明として利用可能であるから実用的であり、薄く、割れることがないため、壁埋め込みが可能であり、廊下などにおける巾木部に簡単に埋め込み可能である。消費電力も少なく、メンテナンスも容易である。
【図面の簡単な説明】
【００５７】
【図１】本発明による導光式照明器具の第1実施例を示す もので、（ａ）は縦断側面図、(ｂ)は横断面図、 (ｃ)は(ｂ)のＹ−Ｙ線に沿う断面図である。
【図２】（ａ）は本発明で使用される高出力・高光束ＬＥＤモジュールの例を示す平面図、(ｂ)は（ａ）のＸ−Ｘ線に沿う断面図、(ｃ)は本発明で用いることが可能な他の高出力・高光束ＬＥＤモジュールを示す斜視図である。
【図３】本発明の第２実施例を示す縦断側面図である。
【図４】本発明の第３実施例を示す縦断側面図である。
【図５】（ａ）は本発明の第４実施例の第１態様を示す部分的側面図、(ｂ)は同じく第２態様を示す部分的側面図、(ｃ)は同じく第３態様を示す側面図である。
【図６】本発明の第５実施例を示す横断面図である。
【図７】（ａ）は本発明の第6実施例の模式的側面図、(ｂ)は適用例を示す部分的縦断側面図、(ｃ)は他の適用例を示す部分的縦断側面図である。
【図８】（ａ）は本発明の第7実施例の縦断側面図、(ｂ)は反射ドットの形状を模式的に示す平面図である。
【図９】本発明の第8実施例の縦断側面図である。
【図１０】（ａ）は本発明をスタンドに適用した例を示す側面図、（ｂ）は（ａ）のＶＩ−ＶＩ線に沿う断面図である。
【図１１】（ａ）は本発明をスタンドに適用した他例を示す側面図、（ｂ）は（ａ）のＶＩＩ−ＶＩＩ線に沿う断面図である。
【図１２】（ａ）は本発明をスタンドに適用した今ひとつの例を示す側面図、（ｂ）は（ａ）のＶＩＩＩ−ＶＩＩＩ線に沿う断面図である。
【図１３】（ａ）は本発明をペンダントに適用した例を示す斜視図、(ｂ)はその断面図である。
【図１４】（ａ）は本発明をペンダントに適用した他の例を示す斜視図、(ｂ)はその断面図である。
【図１５】（ａ）は本発明をシーリングライトに適用した斜視図、（ｂ）はその断面図である。
【図１６】（ａ）は本発明を壁埋め込み照明に適用した例を示す斜視図、(ｂ)はその断面図である。
【図１７】（ａ）は本発明を車両照明に適用した例を示す斜視図、(ｂ)はその断面図である。
【図１８】本発明を非常灯機能付きの照明装置に適用した例を示すもので、（ａ）は平常時の状態を示す斜視図、(ｂ)は非常時の状態を示す斜視図、(ｃ)は横断面図である。
【符号の説明】
【００５８】
１  支持体
２  高出力・高光束ＬＥＤモジュール
３  導光部材
３Ａ  反射層
３Ｂ  拡散層
３Ｃ  偏光層
３Ｄ  乳白プラスチック層
３Ｅ 保護層
１１  支持部
３１  反射ドット
３００  端面
３０１  側面
３０２  背面
３０３  正面
【図１】
0004902630.tif 000002
【図２】
0004902630.tif 000003
【図３】
0004902630.tif 000004
【図４】
0004902630.tif 000005
【図５】
0004902630.tif 000006
【図６】
0004902630.tif 000007
【図７】
0004902630.tif 000008
【図８】
0004902630.tif 000009
【図９】
0004902630.tif 000010
【図１０】
0004902630.tif 000011
【図１１】
0004902630.tif 000012
【図１２】
0004902630.tif 000013
【図１３】
0004902630.tif 000014
【図１４】
0004902630.tif 000015
【図１５】
0004902630.tif 000016
【図１６】
0004902630.tif 000017
【図１７】
0004902630.tif 000018
【図１８】
0004902630.tif 000019